(57)【要約】【課題】従来の表示装置の背面にある物体や景色などを透過して見ることのできる表示装置では、画像を表示する透過型液晶表示パネルが両面表示対応ではないため、表示装置裏面から投影された画像を見た場合、画像の左右が反転してしまい、特に文字表示を行った場合、情報伝達が正確に行えないという課題を有していた。【解決手段】透明なアクリル樹脂等の透過型表示パネル表面１０１ａ、透過型表示パネル裏面１０１ｂ等を１枚もしくは複数枚ＬＥＤ画像投影部１０２の周りに斜めに配置し、前記ＬＥＤ画像投影部１０２上の指向性を持たせたＬＥＤの光を透過型表示パネル表面１０１ａ、透過型表示パネル裏面１０１ｂに向けて偏向し、ＬＥＤ画像投影部１０２からの画像を透過型表示パネル表面１０１ａ、透過型表示パネル裏面１０１ｂを視点方向に偏向することにより、複数視点方向に同じ画像が空中に浮遊しているかのように表示することができる。【選択図】図２
2009053233.tif 000002
【特許請求の範囲】
【請求項１】
少なくとも１つ以上の光源で構成された表示部と、
前記表示部の光源の表示制御を行なう表示制御部と、
前記表示部に表示させる表示データを記憶する記憶部と、
前記表示部から投影された画像などを表示する少なくとも１枚以上の透過型表示パネルと、
前記表示部と前記透過型表示パネルの挟む角が鋭角であることを特徴とする表示装置。
【請求項２】
前記表示部の光源が少なくとも１つ以上のＬＥＤで構成される請求項１に記載の表示装置。
【請求項３】
前記表示部のＬＥＤに光拡散防止用のチューブを取り付けた請求項１及び請求項２に記載の表示装置。
【請求項４】
前記表示部のＬＥＤを傾けて実装した請求項１から請求項３に記載の表示装置。
【請求項５】
前記透過型表示パネルが無色透明である請求項１から請求項４に記載の表示装置。
【請求項６】
前記透過型表示パネルに着色が施されている請求項１から請求項５に記載の表示装置。
【請求項７】
前記透過型表示パネルに反射防止処理を行った請求項１から請求項６に記載の表示装置。
【請求項８】
前記透過型表示パネルが着脱自在な請求項１から請求項７に記載の表示装置。
【請求項９】
前記透過型表示パネルの取り付け角度が可変可能な請求項１から請求項８に記載の表示装置。
【発明の詳細な説明】
【技術分野】
【０００１】
本発明は、表示装置の背面にある物体や景色などを透過して見ることのできる表示装置に関する。
【背景技術】
【０００２】
従来の表示装置では、透過型液晶表示パネルと、前記透過型液晶パネル用の照明光を視点方向に偏向するための導光板を組み合わせ、前記透過型液晶表示パネルの背面にある景色に前記透過型液晶表示パネルの画像を重ねて表示することで、背景画像や景色などを透過させ、画像が空中に浮遊しているような感覚を実現している（例えば、特許文献１参照）。またプロジェクタから画像を、上面の透過型スクリーンの表示板に投影し、投影された表示板の他方の面で視認できる表示装置もある（例えば、特許文献２）。図７、図８は、前記特許文献１に記載された従来の画像が空中に浮遊しているような表示を行うことのできる表示装置を示すものである。
【０００３】
図７は、視点Ａから見た時、透過型液晶表示パネルに文字が表示されている様子を示している。
【０００４】
図８は、視点Ｂから見た時、透過型液晶表示パネルに文字が表示されている様子を示している。
【特許文献１】特開２００４−３２５９０７号公報
【特許文献２】特開２００５−２０１９６４号公報
【発明の開示】
【発明が解決しようとする課題】
【０００５】
しかしながら、前記従来の構成では、画像を表示する透過型液晶表示パネルが両面表示対応ではないため、表示装置視点Bすなわち表示装置裏面から投影された画像を見た場合、画像の左右が反転してしまい、特に文字表示を行った場合、情報伝達が正確に行えないという課題を有していた。
【０００６】
本発明は、前記従来の課題を解決するもので、透過型表示パネル裏面の画像を左右反転せずに見ることができ、背景画像や景色などを透過して見ることのできるＬＥＤ表示装置を提供することを目的とする。
【課題を解決するための手段】
【０００７】
投影された画像の表示方向を視点方向に偏向するための複数の透過型表示パネルと、
前記透過型表示パネルの下方に配置され、前記透過型表示パネルに画像を投影するＬＥＤ画像投影部と、異なる複数の視点からそれぞれ視認可能な複数画像を蓄積し、前記画像投影部に画像を転送するための画像蓄積部と、投影される複数の画像に光指向性を与えて複数の透過型表示パネルに投影する光指向性投影手段とを備えたことを要旨とする。
【発明の効果】
【０００８】
本発明のＬＥＤ表示装置によれば、表示装置の異なる複数の視点において画像の反転が無く、なおかつ背景画像や景色などを透過して見ることができ、画像が空中に浮遊している感覚を付与することができる。
【発明を実施するための最良の形態】
【０００９】
以下本発明を実施するための最良の形態について、図面を参照しながら説明する。
【００１０】
（実施の形態１）
図１に示すように、本発明の一形態に係る表示装置は、２枚の透過型表示パネル１０１と、ＬＥＤ画像投影部１０２とを有する。また、前記ＬＥＤ画像投影部１０２の制御に必要な電子回路は収納部１０３に納められている。前記透過型表示パネル１０１は例えばアクリル樹脂のような透明な材料からなる。
【００１１】
図２に示すように、前記ＬＥＤ画像投影部１０２上には、ＬＥＤ１０４が格子状に配置され、ＬＥＤ１０４の一方の列は透過型表示パネル表面１０１ａ方向に傾斜し、前記ＬＥＤ１０４の他方の列は透過型表示パネル裏面１０１ｂ方向に傾斜している。また、図３に示すように前記ＬＥＤ１０４からの光の指向性を向上させるため、光拡散防止用のチューブ１０５を被せる。
【００１２】
図５に示す画像表示制御部１０８がメモリースロット１０９を経由してメモリーカード１１０から画像データ１１１を画像蓄積部１０７に読み込む。次に、前記画像表示制御部１０８はＬＥＤ画像投影部１０２に対して前記画像蓄積部１０７に読み込んだ前記画像データ１１１を送信することにより、前記ＬＥＤ画像投影部１０２上に斜めに実装され、前記チューブ１０５の加工を施されたＬＥＤ１０４が発光する。前記ＬＥＤ１０４が発光することにより、図６（ｂ）、図６（ｃ）に示すように透過型表示パネル表面１０１ａ、透過型表示パネル裏面１０１ｂ上でそれぞれ異なる画像を結像させることができ、視点が変わることによる文字の左右反転が発生しない。
【００１３】
なお、本実施の形態において、ＬＥＤ１０４を斜めに実装する代わりに、前記ＬＥＤ画像投影部１０２に化粧板１０６を取り付けても同様に透過型表示パネル表面１０１ａ、透過型表示パネル裏面１０１ｂ上でそれぞれ異なる画像を結像させることができる。図４において、前記化粧板１０６に開けられた穴の一方の列は透過型表示パネル表面１０１ａ方向に傾斜し、ＬＥＤ１０４の他方の列は透過型表示パネル裏面１０１ｂ方向に傾斜している。
【００１４】
また、透過型表示パネル１０１を透明な材料で説明したが、透過型表示パネル１０１の表面に反射防止処理を行うことで、太陽光の反射を軽減でき、表示内容が確認し易く出来る。
【００１５】
さらに、透過型表示パネル１０１を着色することで、コントラストが良くなり、より鮮明に表示が確認できる。
【００１６】
（実施の形態２）
図２に示す表示装置において、透過型表示パネル１０１が１枚のみの場合、すなわち透過型表示パネル１０１ａのみが取り付けられている場合、図６（ｃ）に示す視点Ｂからのみ画像を視認することができ、視点Ａからは画像を視認することができない。本実施形態は、画像を特定の方向のみに見せたい場合に有効である。
【産業上の利用可能性】
【００１７】
本発明にかかるＬＥＤ表示装置は、表示装置の背面にある物体や背景が透けて見えるため町の景観を妨げず、複数の視点のどの地点から表示を見た場合も画像等の表示が左右反転せず、ＬＥＤ表示装置看板として有用である。
【図面の簡単な説明】
【００１８】
【図１】本発明の実施の形態１おけるＬＥＤ表示装置の概略斜視図
【図２】図１に示す透過型表示パネルとＬＥＤの配置を示す斜視図
【図３】本発明におけるＬＥＤ光拡散抑制のためのチューブ装着図
【図４】本発明におけるＬＥＤ光拡散抑制のための化粧板取り付け時の展開図
【図５】本発明におけるＬＥＤ画像投影装置の内部回路を示すブロック図
【図６】（ａ）本発明の一実施形態に係るＬＥＤ表示装置の概略図、（ｂ）図６（ａ）の視点Ａからの表示の見え方を示す概略斜視図、（ｃ）図６（ａ）の視点Ｂからの表示の見え方を示す概略斜視図
【図７】従来の表示装置において視点Ａから見た時の文字表示時の説明図
【図８】従来の表示装置において視点Ｂから見た時の文字表示時の説明図
【符号の説明】
【００１９】
１０１  透過型表示パネル
１０１ａ  透過型表示パネル表面
１０１ｂ  透過型表示パネル裏面
１０２  ＬＥＤ画像投影部
１０３  収納部
１０４  ＬＥＤ
１０５  チューブ
１０６  化粧板
【図１】
2009053233.tif 000003
【図２】
2009053233.tif 000004
【図３】
2009053233.tif 000005
【図４】
2009053233.tif 000006
【図５】
2009053233.tif 000007
【図６】
2009053233.tif 000008
【図７】
2009053233.tif 000009
【図８】
2009053233.tif 000010